(57)【要約】【課題】幅員の狭い道路を車両が通過することによるドライバーの不安を低減させることが可能な情報提供方法および情報提供装置を提供する。【解決手段】車両の位置情報を含む複数のプローブ情報を複数の車両から収集し、複数のプローブ情報の解析結果に基づいた情報を出力する情報提供方法であって、複数のプローブ情報に基づいて車両が待避した待避位置を推定し、複数の車両の待避位置の情報に基づいて、車両が待避する傾向にある場所を推奨待避場所として特定し、推奨待避場所の情報を出力する情報提供方法。【選択図】  図１
2018018129.tif 000002
【特許請求の範囲】
【請求項１】
車両の位置情報を含む複数のプローブ情報を複数の車両から収集し、前記複数のプローブ情報の解析結果に基づいた情報を出力する情報提供方法であって、
前記複数のプローブ情報に基づいて前記車両が待避した待避位置を推定し、前記複数の車両の前記待避位置の情報に基づいて、車両が待避する傾向にある場所を推奨待避場所として特定し、前記推奨待避場所の情報を出力する情報提供方法。
【請求項２】
請求項１に記載の情報提供方法であって、
対象車両の位置情報を含む情報を前記対象車両から取得し、
前記対象車両の位置情報に基づいて、前記対象車両の位置を基準とする前記推奨待避場所の情報を出力する情報提供方法。
【請求項３】
請求項２に記載の情報提供方法であって、
前記対象車両の位置情報を含む情報に基づいて、前記対象車両のドライバーの運転習熟度を推定し、
前記対象車両のドライバーの運転習熟度が所定値以上である場合には、前記推奨待避場所の情報を出力しない情報提供方法。
【請求項４】
請求項２または３に記載の情報提供方法であって、
前記対象車両の周辺に存在する対向車両または後続車両を検出し、
前記対象車両の周辺に前記対象車両または前記後続車両が存在する場合に、前記推奨待避場所の情報を出力する情報提供方法。
【請求項５】
請求項２〜４のいずれかに記載の情報提供方法であって、
前記対象車両の走行予定経路に関する情報を前記対象車両から取得し、
前記対象車両の走行予定経路にある前記推奨待避場所の情報を出力する情報提供方法。
【請求項６】
請求項２〜５のいずれかに記載の情報提供方法であって、
前記プローブ情報は車両の車種情報または時刻情報をさらに含み、
前記複数のプローブ情報に基づいて、前記車両の車種ごと、曜日ごと、または時間帯ごとの前記推奨待避場所を特定するとともに、
前記対象車両の車種情報または時刻情報を、前記対象車両からさらに取得し、
前記対象車両の車種、前記対象車両が走行する曜日または時間帯における前記推奨待避場所の情報を出力する情報提供方法。
【請求項７】
請求項１〜６のいずれかに記載の情報提供方法であって、
前記プローブ情報は、操舵角、車速、加減速度、アクセル開度、およびブレーキ開度に関する情報のうち少なくとも１つの情報をさらに含み、
前記プローブ情報に基づいて、車両の走行頻度、急ハンドルの発生頻度、並びに、急発進および急減速の発生頻度のうち少なくとも１つを含む車両の走行パターンを特定し、
前記車両の走行パターンを運転習熟度に応じた複数のクラスに分類し、
車両の走行パターンが、前記複数のクラスのうち所定の運転習熟度に応じたクラスに属する車両のプローブ情報に基づいて、前記推奨待避場所の情報を出力する情報提供方法。
【請求項８】
請求項１〜７のいずれかに記載の情報提供方法であって、
前記車両が徐行または停車した位置、並びに／若しくは、前記車両がウインカーまたはハザードランプを点灯させた位置を、前記待避位置として推定する情報提供方法。
【請求項９】
請求項１〜８のいずれかに記載の情報提供方法であって、
交通規則により車両が徐行または停車する必要がある場所を、前記待避位置として推定しない情報提供方法。
【請求項１０】
車両の位置情報を含む複数のプローブ情報を複数の車両から収集し、前記複数のプローブ情報の解析結果に基づいた情報を出力する制御器を備える情報提供装置であって、
前記制御器は、前記複数のプローブ情報に基づいて、前記車両が待避した待避位置を推定し、前記複数の車両の待避位置から車両が待避する傾向にある場所を推奨待避場所として特定し、前記推奨待避場所の情報を出力する情報提供装置。
【発明の詳細な説明】
【技術分野】
【０００１】
本発明は、情報提供方法および情報提供装置に関するものである。
【背景技術】
【０００２】
従来、道路の幅員を考慮して走行予定経路を探索する技術が知られている（特許文献１）。
【先行技術文献】
【特許文献】
【０００３】
【特許文献１】特開平６−１７４４８５号公報
【発明の概要】
【発明が解決しようとする課題】
【０００４】
しかしながら、全ての道路について幅員などの道路情報が整備されていないという状況であるために、従来技術では、道路の幅員の情報を取得できない場合に、幅員の狭い道路を走行予定経路として案内してしまうことがある。このため、経路案内に従って幅員の狭い道路を車両が通過する必要が生じ、この時に、対向車両とのすれ違いや後続車両による追い越しに対する不安を、ドライバーに与えてしまうという問題があった。
【０００５】
本発明が解決しようとする課題は、幅員の狭い道路を車両が通過する必要がある時に、ドライバーの不安を低減させることが可能な情報提供方法および情報提供装置を提供することである。
【課題を解決するための手段】
【０００６】
本発明は、複数の車両から収集した複数のプローブ情報に基づいて、車両が待避した待避位置を推定し、複数の車両の複数の待避位置の情報に基づいて、車両が待避する傾向にある場所を推奨待避場所として特定し、当該推奨待避場所の情報を出力することで、上記課題を解決する。
【発明の効果】
【０００７】
本発明によれば、車両が待避する傾向にある推奨待避場所の情報を出力することで、ドライバーに適切な待避場所を把握させることができるため、幅員の狭い道路を車両が通過する必要がある時でも、幅員の狭い道路を車両が通過することによるドライバーの不安を低減させることができる。
【図面の簡単な説明】
【０００８】
【図１】本実施形態に係る情報提供システムの構成を示す構成図である。
【図２】走行パターンに基づくクラスタリング処理を説明するための図である。
【図３】幅員の狭い道路を２台がすれ違う場面を例示した図である。
【図４】幅員の狭い道路を２台がすれ違う場面を例示した図である。
【図５】推奨待避場所の特定方法を説明するための図である。
【図６】本実施形態に係るプローブ情報送信処理を示すフローチャートである。
【図７】本実施形態に係るプローブ情報解析処理を示すフローチャートである。
【図８】本実施形態に係る情報提供処理を示すフローチャートである。
【発明を実施するための形態】
【０００９】
以下、本発明の実施形態を図面に基づいて説明する。
【００１０】
図１は、本実施形態に係る情報提供システムの構成を示す図である。図１に示すように、本実施形態に係る情報提供システムは、複数の車両に搭載された複数の車載装置１００と、車両の外部に設置された情報提供装置２００とから構成される。複数の車載装置１００と情報提供装置２００とは、通信回線を介して各種情報の授受が可能となっている。通信回線としては、たとえば、携帯電話網、無線ＬＡＮ網、ＤＳＲＣ（Dedicated Short Range Communications）網および電力線通信網などが挙げられる。また、車載装置１００がフラッシュメモリ等の着脱式の記憶媒体に各種情報を記録し、記録した各種情報を、通信機能を有する端末（たとえば携帯電話機）経由で送受信する構成としてもよい。なお、図１に示す例では、１つの車両に搭載された１つの車載装置１００のみを例示しているが、情報提供システムは、車載装置１００を複数備える構成とすることができる。
【００１１】
車載装置１００は、図１に示すように、センサー群１１０、操作機器群１２０、車載通信装置１３０、車載制御装置１４０、および提示装置１５０を有する。これら装置は、相互に情報の授受を行うためにＣＡＮ（Controller Area Network）その他の車載ＬＡＮによって接続されている。
【００１２】
センサー群１１０は、自車両の位置を検出するＧＰＳ装置を少なくとも含む。ＧＰＳ装置は、複数の衛星通信から送信される電波を検出して、自車両の位置情報を、周期的に取得するとともに、取得した自車両の位置情報と、ジャイロセンサーから取得した角度変化情報と、車速センサーから取得した車速とに基づいて、自車両の現在位置を検出する。また、ＧＰＳ装置は、現在の時刻情報も取得する。加えて、センサー群１１０には、車両の車速を検出する車速センサー、ステアリングの操舵角を検出する操舵角センサー、アクセル開度を検出するアクセル開度センサー、およびブレーキ開度を検出するブレーキ開度センサーなども含むことができる。
【００１３】
操作機器群１２０は、ドライバーが操作可能な操作部材であり、車両の走行経路を設定するためのナビゲーション装置、左右のウインカーランプ（方向指示器）を点滅させるターンシグナルスイッチ、ハザードランプを点滅させるハザードスイッチを少なくとも含む。ドライバーが操作した操作機器群１２０の操作情報は、車載制御装置１４０に送信される。
【００１４】
車載通信装置１３０は、電話回線網などを介して、情報提供装置２００のサーバー通信装置２１０と通信可能となっている。車載通信装置１３０は、車載制御装置１４０から取得したプローブ情報を情報提供装置２００に送信するとともに、情報提供装置２００から推奨待避場所を案内する情報（以下、待避場所案内情報という。）を受信し、受信した待避場所案内情報を車載制御装置１４０に出力する。なお、プローブ情報および待避場所案内情報の詳細については後述する。
【００１５】
提示装置１５０は、ディスプレイやスピーカーなどの装置であり、情報提供装置２００から提供された情報を、ディスプレイの画面に表示し、あるいはスピーカーから音声出力などすることにより、ドライバーに提示することができる。
【００１６】
車載制御装置１４０は、待避場所案内情報をドライバーに提示するためのプログラムを格納したＲＯＭ（Read Only Memory）と、このＲＯＭに格納されたプログラムを実行するＣＰＵ（Central Processing Unit）と、アクセス可能な記憶装置として機能するＲＡＭ（Random Access Memory）とから構成される。なお、動作回路としては、ＣＰＵ（Central Processing Unit）に代えて又はこれとともに、ＭＰＵ（Micro Processing Unit）、ＤＳＰ（Digital Signal Processor）、ＡＳＩＣ（Application Specific Integrated Circuit）、ＦＰＧＡ（Field Programmable Gate Array）などを用いることができる。
【００１７】
車載制御装置１４０は、ＲＯＭに格納されたプログラムをＣＰＵにより実行することにより、プローブ情報を取得するプローブ情報取得機能と、取得したプローブ情報を情報提供装置２００に送信するプローブ情報送信機能と、情報提供装置２００から受信した情報をドライバーに提示する情報提示機能と、を備える。以下に、車載制御装置１４０が備える各機能について説明する。
【００１８】
車載制御装置１４０のプローブ情報取得機能は、センサー群１１０から各センサーの検出結果をプローブ情報として取得する。たとえば、プローブ情報取得機能は、ＧＰＳ装置から自車両の位置情報および現在の時刻情報を、車速センサーから車速情報を、それぞれプローブ情報として取得することができる。さらに、プローブ情報取得機能は、操舵角センサーから操舵角情報（ステアリングの操作量の情報）、ブレーキ開度センサーからブレーキ開度の情報、アクセル開度センサーからアクセル開度の情報をそれぞれ取得し、一定期間における操舵角の平均値（以下、平均操舵角という。）、一定期間におけるブレーキ開度の平均値（以下、平均ブレーキ開度という。）、および一定期間におけるアクセル開度の平均値（以下、平均アクセル開度という。）を、それぞれプローブ情報として取得することができる。
【００１９】
また、プローブ情報取得機能は、操作機器群１２０から各操作機器の操作情報をプローブ情報として取得する。たとえば、プローブ情報取得機能は、ターンシグナルスイッチからウインカーランプの使用状況を、ハザードスイッチからハザードランプの使用状況を、それぞれプローブ情報として取得する。さらに、プローブ情報取得機能は、ナビゲーション装置から走行予定経路の情報を、プローブ情報として取得することもできる。そして、プローブ情報取得機能は、センサー群１１０および操作機器群１２０から取得したプローブ情報を、車載制御装置１４０のＲＡＭに一時的に蓄積する。
【００２０】
車載制御装置１４０のプローブ情報送信機能は、プローブ情報取得機能により取得され、車載制御装置１４０のＲＡＭに一時的に蓄積されているプローブ情報を、車載通信装置１３０を介して、情報提供装置２００に送信する。たとえば、本実施形態において、プローブ情報送信機能は、イグニッションオフまたはイグニッションオンのタイミング、一定時間ごと、または、車両が一定距離走行する度に、車載制御装置１４０のＲＡＭに蓄積されたプローブ情報を情報提供装置２００に送信することができる。なお、本実施形態においては、一定時間ごとに、プローブ情報を情報提供装置２００に送信するものとして説明する。さらに、本実施形態では、車載装置１００を搭載する車両の車種情報や車両のＩＤ情報が車載制御装置１４０のＲＡＭに予め記憶されており、プローブ情報送信機能は、車両の車種情報や車両のＩＤ情報を車載制御装置１４０のＲＡＭから取得し、プローブ情報として、情報提供装置２００に送信することができる。
【００２１】
車載制御装置１４０の情報提示機能は、車載通信装置１３０を介して、待避場所案内情報（詳細は後述する。）を情報提供装置２００から受信し、受信した待避場所案内情報を、提示装置１５０を介して、ドライバーに提示する。なお、詳細は後述するが、待避場所案内情報は、ドライバーに推奨待避場所を案内するための情報であり、このような待避場所案内情報をドライバーに提示することで、ドライバーに適切な待避場所を把握させることができ、車両が幅員の狭い道路を通行する場合も、対向車両とのすれ違いや後続車両による追い越しなどによるドライバーの不安を低減することができる。
【００２２】
次に、本実施形態に係る情報提供装置２００について説明する。情報提供装置２００は、車両の外部に設置されたサーバーであり、図１に示すように、サーバー通信装置２１０と、サーバー処理装置２２０と、データベース２３０とを有している。
【００２３】
サーバー通信装置２１０は、電話回線網などにより、車載装置１００の車載通信装置１３０と通信可能となっている。サーバー通信装置２１０は、複数の車両にそれぞれ搭載された複数の車載装置１００から複数のプローブ情報を受信し、受信した複数のプローブ情報をサーバー処理装置２２０に出力するとともに、サーバー処理装置２２０から取得した情報を車載装置１００に送信する。
【００２４】
データベース２３０は、複数の車両から取得した複数のプローブ情報を格納している。このようなプローブ情報には、プローブ情報が取得された際の車両の位置、日時、外気温、平均操舵角、平均アクセル開度、および平均ブレーキ開度などの情報が含まれる。また、データベース２３０は、車種情報、地図情報、および道路情報も格納している。車種情報には、車両の種別（たとえば大型車、普通車、小型車など）、車両寸法（たとえば全長、全幅、全高、トレッド幅、車両重量、車両総重量など）、車両のエンジン排気量の情報などが含まれる。また、道路情報には、道路の種別（たとえば、道路が一般道、自動車専用道路、橋、あるいはトンネルであるか）や、交差点、停止線、信号機、および道路標識などの位置の情報が含まれる。
【００２５】
サーバー処理装置２２０は、待避場所案内情報を車載装置１００に提供するためのプログラムを格納したＲＯＭと、このＲＯＭに格納されたプログラムを実行するＣＰＵと、アクセス可能な記憶装置として機能するＲＡＭとから構成される。サーバー処理装置２２０は、ＲＯＭに格納されたプログラムをＣＰＵにより実行することにより、車載装置１００から受信したプローブ情報をデータベース２３０に格納するプローブ情報格納機能と、プローブ情報に基づいて、車両が待避する傾向にある推奨待避場所を特定するプローブ情報解析機能と、待避場所案内情報を提供する情報提供機能と、を備える。以下に、サーバー処理装置２２０が備える各機能について説明する。
【００２６】
サーバー処理装置２２０のプローブ情報格納機能は、車載装置１００から受信したプローブ情報をデータベース２３０に格納する。また、プローブ情報格納機能は、データベース２３０に格納された車種情報を参照し、プローブ情報に含まれる車両ＩＤから、プローブ情報を取得した車両の種別（たとえば大型車、普通車、小型車など）、車両寸法（たとえば全長、全幅、全高、トレッド幅、車両重量、車両総重量など）、車両のエンジン排気量の情報を特定し、特定した車両の種別情報、車両寸法情報、車両のエンジン排気量の情報を、プローブ情報に関連付けてデータベース２３０に格納する。さらに、プローブ情報格納機能は、データベース２３０に格納された道路情報を参照し、プローブ情報に含まれる車両の位置から、プローブ情報を取得した車両が走行する道路の種別（たとえば、車両が走行する道路が一般道、自動車専用道路、橋、あるいはトンネルであるか）を特定し、特定した道路の種別情報を、プローブ情報に関連付けてデータベース２３０に格納する。
【００２７】
サーバー処理装置２２０のプローブ情報解析機能は、複数の車載装置１００から収集された複数のプローブ情報に基づいて、車両が待避する傾向にある場所を推奨待避場所として特定する。プローブ情報解析機能は、まず、データベース２３０に蓄積された複数のプローブ情報を取得する。そして、プローブ情報解析機能は、プローブ情報に関連付けた車種情報に基づいて、取得した複数のプローブ情報を、車両の車種ごとにグループ化する。
【００２８】
たとえば、プローブ情報解析機能は、車種情報に含まれる車両の排気量、車両の寸法（全長、全幅、全高など）、および種別（大型車、普通車、小型車）のうち１以上に基づいて、複数の車両から収集した複数のプローブ情報をグループ化することができる。たとえば、プローブ情報解析機能は、車両の種別情報に基づいて、複数の車両から取得した複数のプローブ情報を、小型車から得られたプローブ情報と、普通車から得られたプローブ情報と、大型車から得られたプローブ情報とにグループ化することができる。あるいは、プローブ情報解析機能は、車両の排気量ごとに、複数の車両から複数のプローブ情報をグループ化してもよいし、また、車両の寸法ごとに、複数の車両から複数のプローブ情報をグループ化してもよい。
【００２９】
次いで、プローブ情報解析機能は、グループ化したプローブ情報に基づいて車両の走行パターンを特定し、特定した各車両の走行パターンを、複数のクラスに分類するクラスタリング処理を行う。
【００３０】
具体的には、プローブ情報解析機能は、まず、プローブ情報に基づいて、各車両の走行パターンを特定する。本実施形態において、プローブ情報解析機能は、プローブ情報に含まれる車両ＩＤに基づいて、グループ化されたプローブ情報を車両ごとに分類し、車両ごとに分類した複数のプローブ情報に基づいて、曜日および／または時間帯ごとの車両の走行頻度、地域ごとの車両の走行頻度、急ハンドルの発生頻度、並びに急発進および急減速の発生頻度を、車両の走行パターンとして車両ごとに特定する。ここで、車両ごとに分類した複数のプローブ情報は、それぞれ異なる時刻で得られた同一車両のプローブ情報であり、車両の走行履歴を示す情報となる。そのため、プローブ情報解析機能は、これら車両ごとに分類した複数のプローブ情報に基づいて、車両ごとの走行パターン（たとえば、曜日および／または時間帯ごとの走行頻度、地域ごとの走行頻度、急ハンドルの発生頻度、および急発進および急減速の発生頻度など）を特定することができる。
【００３１】
より具体的には、プローブ情報解析機能は、車両ごとに分類したプローブ情報に含まれる位置情報および時刻情報に基づいて、曜日および／または時間帯ごとの走行頻度を特定することができる。また、プローブ情報解析機能は、車両ごとに分類したプローブ情報に含まれる位置情報および時刻情報に基づいて、地域ごとの走行頻度を特定することができる。さらに、プローブ情報解析機能は、車両ごとに分類したプローブ情報に含まれる平均操舵角の情報に基づいて、急ハンドルの発生頻度を特定することができる。加えて、プローブ情報解析機能は、車両ごとに分類したプローブ情報に含まれる車速、平均アクセル開度、平均ブレーキ開度の情報に基づいて、急発進および急減速の発生頻度を特定することができる。このように、プローブ情報解析機能は、各車両のプローブ情報に基づいて、各車両の走行パターンを特定する。
【００３２】
そして、プローブ情報解析機能は、特定した車両の走行パターンを複数のクラスに分類するクラスタリング処理を行う。ここで、図２は、走行パターンのクラスタリング処理を説明するための図である。なお、以下においては、図２に示すように、車両の走行パターンのうち、曜日および／または時間帯ごとの車両の走行頻度と、地域ごとの車両の走行頻度とを例示して、クラスタリング処理を説明する。
【００３３】
たとえば、プローブ情報解析機能は、ｋ平均法などの統計処理を行うことで、図２に示すように、各車両の走行パターンを、複数のクラスに分類することができる。たとえば、図２に示す例では、プローブ情報解析機能は、曜日および／または時間帯における走行頻度と、地域における走行頻度とに基づいて、各車両の走行パターンを、Ｃ１〜Ｃ３の３つのクラスにクラスタリングすることができる。また、図示していないが、プローブ情報解析機能は、さらに、急ハンドルの発生頻度や急発進および急減速の発生頻度に基づいて、各車両の走行パターンをクラスタリングすることができる。
【００３４】
なお、詳細は後述するが、本実施形態では、車両の走行パターンのクラスタリング処理が、地域ごと、曜日および／または時間帯ごとに行われる。そのため、図２に示す例において、たとえば地域がＲ１、曜日および／または時間帯がＴ１を、対象とする地域、並びに、対象とする曜日および／または時間帯として、クラスタリング処理を行った場合には、地域がＲ１における車両の走行頻度と、曜日および／または時間帯がＴ１における車両の走行頻度とがグラフにプロットされることとなり、地域がＲ１、曜日および／または時間帯がＴ１における車両の走行パターンがクラスタリングされることとなる。同様に、他の地域、他の曜日および／または時間帯における車両の走行パターンをクラスタリングすることで、車両の走行パターンのクラスタリング処理が、地域ごと、曜日および／または時間帯ごとに行われることとなる。なお、クラスタリングの方法は、ｋ平均法に限られず、ウォード法などの公知の手法を用いることができる。
【００３５】
さらに、プローブ情報解析機能は、クラスタリングした複数のクラスの中から、運転習熟度が高い車両が属するクラスを特定する。そして、プローブ情報解析機能は、特定したクラスに属する車両のプローブ情報を、対象プローブ情報として取得する。たとえば、図２に示す例において、クラスＣ１における車両の走行パターンは、クラスＣ２における車両の走行パターンと比べて、対象とする曜日および／または時間帯における走行頻度が高い。また、クラスＣ１における車両の走行パターンは、クラスＣ３における車両の走行パターンと比べて、対象とする地域における走行頻度が高い。そのため、クラスＣ１に含まれる車両の走行パターンは、対象とする曜日および／または時間帯、並びに、対象とする地域において、比較的高い頻度で走行する車両の走行パターンと判断することができる。言い換えれば、クラスＣ１に含まれる車両の走行パターンは、対象とする曜日および／または時間帯、並びに、対象とする地域において高い頻度で運転する、運転習熟度の高いドライバーの走行パターンと判断することができる。そのため、プローブ情報解析機能は、クラスＣ１について、運転習熟度の高い車両が属するクラスと判断することができる。これにより、プローブ情報解析機能は、クラスタリングした複数のクラスのうち、運転習熟度が高いと判断されたクラスＣ１に属する車両のプローブ情報を、対象プローブ情報として取得することができる。
【００３６】
なお、上述した例では、曜日および／または時間帯における走行頻度と、地域における走行頻度とに基づいてクラスタリング処理を行い、各車両のドライバーの運転習熟度を判定する構成を例示したが、急ハンドルの発生頻度、および急発進および急減速の発生頻度を加えてクラスタリング処理を行い、各車両のドライバーの運転習熟度を判定することができる。
【００３７】
このように、本実施形態において、プローブ情報解析機能は、データベース２３０に格納されたプローブ情報を車両の車種ごとにグループ化し、グループ化した複数のプローブ情報の中から、地域ごと、曜日および時間帯ごとに、運転習熟度が高いクラスに属する車両のプローブ情報を対象プローブ情報として取得する。そのため、本実施形態では、対象プローブ情報が、車両の車種ごと、地域ごと、曜日および時間帯ごとに取得されることとなる。
【００３８】
次に、プローブ情報解析機能は、対象プローブ情報に基づいて、車両が待避する傾向にある場所を推奨待避場所として特定する。具体的には、プローブ情報解析機能は、まず、対象プローブ情報に含まれる車両の位置情報、車速情報、ウインカーの操作情報、およびハザードランプの操作情報に基づいて、車両が徐行または停車した位置を待避位置候補として推定する。たとえば、プローブ情報解析機能は、車速が所定速度以下（ゼロを含む）となった位置、車速が所定速度以下においてウインカーを点灯させた位置、または、ハザードランプを点灯させた位置を、待避位置候補として推定することができる。なお、プローブ情報解析機能は、時間的に連続して得られた同一の車両のプローブ情報に基づいて、当該車両の位置が変化しているか否かを判断することで、車両が停車しているか否かを判断することもできる。
【００３９】
さらに、プローブ情報解析機能は、待避位置候補の中に、交通規則により車両が徐行または停車する必要のある位置が含まれている場合には、このような待避位置候補を待避位置から除外する。具体的には、プローブ情報解析機能は、データベース２３０に格納されている交差点、停止線、信号機、および道路標識などの位置情報に基づいて、待避位置候補が交通規則により車両が徐行または停車する必要のある位置であるか否かを判断する。そして、プローブ情報解析機能は、待避位置候補が交通規則により車両が徐行または停車する必要のある位置ではない場合に、このような待避位置候補を待避位置として特定する。
【００４０】
そして、プローブ情報解析機能は、推定した複数の車両の複数の待避位置に基づいて、車両が待避する傾向にある場所を推奨待避場所として特定する。具体的には、プローブ情報解析機能は、推定した複数の待避位置を地図上にプロットする。そして、プローブ情報解析機能は、所定の大きさの範囲内に所定数以上の待避位置がプロットされた場合に、この範囲を、車両が待避する傾向のある推奨待避場所として特定することができる。なお、この範囲の大きさは、特に限定されず、適宜設定することができる。
【００４１】
ここで、図３〜図５は、推奨待避場所の特定方法を説明するための図である。図３および図４に示す例においては、道路Ｂ１を走行する車両Ｖ１が道路Ｂ２に向かっており、道路Ｂ２を走行する車両Ｖ２が道路Ｂ１に向かっていることで、車両Ｖ１と車両Ｖ２とがすれ違う場面を示している。また、図３に示す例では、車両Ｖ１のドライバーが、対向車両Ｖ２とすれ違うこととなるために、車両Ｖ１を位置Ｐ１にまで移動させ、位置Ｐ１において停車（待避）している。この場合、プローブ情報解析機能は、車両Ｖ１の対象プローブ情報に基づいて、車両Ｖ１の車速が所定速度以下となり、かつ、交通規則などにより停止が必要な位置ではない、位置Ｐ１を待避位置として推定することができる。そして、プローブ情報解析機能は、推定した待避位置Ｐ１を、地図上にプロットする。また、図４に示す例では、車両Ｖ２のドライバーが、対向車両Ｖ１とすれ違うこととなるために、車両Ｖ２を位置Ｐ２にまで移動させ、位置Ｐ２において停車（待避）している。この場合、プローブ情報解析機能は、車両Ｖ２の対象プローブ情報に基づいて、車両Ｖ２の車速が所定速度以下となり、かつ、交通規則などにより停止が必要な位置ではない、位置Ｐ２を待避位置として推定することができる。そして、プローブ情報解析機能は、推定した待避位置Ｐ２を、地図上にプロットする。
【００４２】
同様に、プローブ情報解析機能は、複数の車両の対象プローブ情報に基づいて、複数の車両の待避位置を推定し、地図上にプロットする。たとえば、図５に示す例において、プローブ情報解析機能は、複数の車両の対象プローブ情報に基づいて、待避位置Ｐ３〜Ｐ６をさらに推定し、地図上にプロットする。この場合、プローブ情報解析機能は、地図上にプロットされた待避位置Ｐ１〜Ｐ６に基づいて、所定の大きさの範囲内ＴＰ１に、所定数（たとえば図５に示す例では３）以上の待避位置Ｐ１，Ｐ３，Ｐ４が含まれると判断し、当該範囲ＴＰ１を、車両が待避する傾向にある推奨待避場所として特定することができる。同様に、プローブ情報解析機能は、所定の大きさの範囲ＴＰ２内に、所定数以上の待避位置Ｐ２，Ｐ５，Ｐ６が含まれると判断し、当該範囲ＴＰ２を、車両が待避する傾向にある推奨待避場所として特定することができる。
【００４３】
そして、プローブ情報解析機能は、車両が待避する傾向にある推奨待避場所の情報を、データベース２３０に格納する。また、プローブ情報解析機能は、一定期間ごとに、最新の対象プローブ情報を抽出し、車両が待避する傾向にある推奨待避場所を特定することで、データベース２３０に格納されている推奨待避場所の情報を逐次更新することができる。
【００４４】
なお、上述したように、プローブ情報解析機能は、対象プローブ情報を、車両の車種ごと、地域ごと、曜日および／または時間帯ごとに取得する。そして、プローブ情報解析機能は、車両の車種ごと、地域ごと、曜日および／または時間帯ごとの対象プローブ情報に基づいて、車両が待避する傾向にある推奨待避場所を、車両の車種ごと、曜日および／または時間帯ごとに特定する。これにより、車両の車種ごと、曜日および／または時間帯ごとの推奨待避場所の情報がデータベース２３０に格納されることとなる。
【００４５】
サーバー処理装置２２０の情報提供機能は、待避場所案内情報を車載装置１００に提供する。具体的には、情報提供機能は、待避場所案内情報を提供する車両（以下、対象車両という。）のプローブ情報に基づいて、対象車両に適した待避場所案内情報を、対象車両の車載装置１００に出力する。
【００４６】
より具体的には、情報提供機能は、まず、対象車両の車載装置１００から取得した対象車両の最新のプローブ情報に基づいて、対象車両の車種、対象車両が走行する曜日および／または時間帯を特定する。そして、情報提供機能は、対象車両が走行する曜日および／または時間帯において、対象車両と同一の車種の車両が待避する傾向にある推奨待避場所の情報を、データベース２３０から取得する。なお、上述したように、本実施形態では、車両が待避する傾向にある推奨待避場所が、車両の車種ごと、曜日および／または時間帯ごとに特定されているため、情報提供機能は、対象車両が走行する曜日および／または時間帯において、対象車両と同一の車種の車両が待避する傾向にある推奨待避場所の情報を、データベース２３０から取得することができる。
【００４７】
そして、情報提供機能は、対象車両のプローブ情報に走行予定経路の情報が含まれている場合には、対象車両の走行予定経路における推奨待避場所を特定し、対象車両の車載装置１００に送信する。また、情報提供機能は、対象車両のプローブ情報に走行予定経路の情報が含まれていない場合には、対象車両のプローブ情報に含まれる対象車両の位置情報に基づいて、対象車両の周辺に存在する推奨待避場所を特定し、対象車両の車載装置１００に送信する。
【００４８】
また、情報提供機能は、対象車両のドライバーの運転習熟度を判定し、対象車両のドライバーの運転習熟度が高い場合には、待避場所案内情報を対象車両の車載装置１００に出力しない構成とすることができる。たとえば、情報提供機能は、対象車両の車載装置１００から取得した対象車両のプローブ情報を、データベース２３０から抽出する。さらに、情報提供機能は、データベース２３０から抽出した対象車両のプローブ情報に基づいて、対象車両が走行する地域における対象車両の走行頻度と、対象車両が走行する曜日および／または時間帯における対象車両の走行頻度と、さらには、対象車両における急ハンドルの発生頻度や、対象車両における急発進および急減速の発生頻度を算出する。そして、情報提供機能は、対象車両が走行する地域における対象車両の走行頻度が所定値以上であるか、対象車両が走行する曜日および／または時間帯における対象車両の走行頻度が所定値以上であるか、対象車両における急ハンドルの発生頻度が所定値未満であるか、対象車両における急発進および急減速の発生頻度が所定値未満であるかなどを判断することで、対象車両が走行する地域、曜日および／または時間帯における、対象車両のドライバーの運転習熟度を推定することができる。
【００４９】
そして、情報提供機能は、対象車両が走行する地域、曜日および／または時間帯において、対象車両のドライバーの運転習熟度が所定値以上であると判断した場合には、対象車両の車載装置１００に、待避場所案内情報を出力しない構成とすることができる。対象車両のドライバーの運転習熟度が高い場合に、待避場所案内情報がドライバーに提示されてしまうと、却って、対象車両のドライバーに煩わしさを与えてしまう場合があるためである。
【００５０】
続いて、図６〜８を参照して、本実施形態に係る情報提供システムの動作について説明する。なお、図６は、本実施形態に係るプローブ情報送信処理を示すフローチャートであり、図７は、本実施形態に係るプローブ情報解析処理を示すフローチャートであり、図８は、本実施形態に係る情報提供処理を示すフローチャートである。
【００５１】
まず、図６を参照して、車両のプローブ情報を車載装置１００から情報提供装置２００に送信するプローブ情報送信処理を説明する。図６に示すプローブ情報送信処理は、各車両に搭載された車載装置１００によりそれぞれ実行される。
【００５２】
まず、ステップＳ１０１では、車載制御装置１４０のプローブ情報取得機能により、イグニッションオンになったか否かの判断が行われる。イグニッションオフである間はステップＳ１０１で待機し、イグニッションオンになった場合に、ステップＳ１０２に進む。
【００５３】
ステップＳ１０２では、車載制御装置１４０のプローブ情報取得機能により、プローブ情報の取得が行われる。プローブ情報取得機能は、センサー群１１０から各センサーの検出結果を、操作機器群１２０から各操作機器の操作情報を、プローブ情報として取得することができる。そして、ステップＳ１０３では、車載制御装置１４０のプローブ情報取得機能により、ステップＳ１０２で取得されたプローブ情報が、車載制御装置１４０のＲＡＭに一時的に蓄積される。
【００５４】
ステップＳ１０４では、車載制御装置１４０のプローブ情報送信機能により、前回プローブ情報を送信してから一定期間が経過したか否かの判断が行われる。一定期間が経過した場合には、ステップＳ１０５に進み、車載制御装置１４０のプローブ情報送信機能により、ステップＳ１０３で蓄積されたプローブ情報が、車載装置１００から情報提供装置２００に送信される。一方、一定期間が経過していない場合には、ステップＳ１０２に戻り、プローブ情報の取得と、蓄積が繰り返される。
【００５５】
ステップＳ１０６では、車載制御装置１４０のプローブ情報送信機能により、イグニッションオフになったか否かの判断が行われる。イグニッションオンである場合には、ステップＳ１０２に戻り、プローブ情報の取得および一時的な蓄積が繰り返し行われる。そして、イグニッションオフになった場合に、プローブ情報送信機能により、図６に示すプローブ情報送信処理が終了される。
【００５６】
続いて、図７を参照して、情報提供装置２００において、車載装置１００から受信したプローブ情報を解析するプローブ情報解析処理を説明する。なお、図７に示すプローブ情報解析処理は、情報提供装置２００のサーバー処理装置２２０により、一定の時間間隔で繰り返し行われる。
【００５７】
ステップＳ２０１では、サーバー処理装置２２０のプローブ情報格納機能により、複数の車載装置１００から送信された複数のプローブ情報を受信し、受信したプローブ情報をデータベース２３０に蓄積する処理が行われる。また、プローブ情報格納機能は、データベース２３０に格納された車種情報を参照し、プローブ情報に含まれる車両ＩＤから、プローブ情報を取得した車両の種別（たとえば大型車、普通車、小型車など）、車両寸法（たとえば全長、全幅、全高、トレッド幅、車両重量、車両総重量など）、車両のエンジン排気量の情報を特定する。さらに、プローブ情報格納機能は、データベース２３０に格納された道路情報を参照し、プローブ情報に含まれる車両の位置から、プローブ情報を取得した車両が走行する道路の種別（たとえば、車両が走行する道路が一般道、自動車専用道路、橋、あるいはトンネルであるか）を特定する。これにより、データベース２３０に格納されるプローブ情報には、当該プローブ情報が取得された際の車両の車種、道路の種別などが関連付けられることとなる。なお、ステップＳ２０１の処理は、車載装置１００からプローブ情報が送信される度に逐次実行される。
【００５８】
ステップＳ２０２では、プローブ情報解析機能により、プローブ情報の蓄積を開始して一定期間が経過したか否かの判断が行われる。一定期間が経過するまでは、ステップＳ２０１のプローブ情報の蓄積を繰り返し、一定期間が経過した場合には、ステップＳ２０３に進む。
【００５９】
ステップＳ２０３では、プローブ情報解析機能により、複数のプローブ情報をグループ化する処理が行われる。具体的には、プローブ情報解析機能は、データベース２３０に蓄積された複数のプローブ情報を取得し、プローブ情報に関連付けられた車種情報に基づいて、取得した複数のプローブ情報を、車両の車種ごとにグループ化する。
【００６０】
ステップＳ２０４では、プローブ情報解析機能により、各車両の走行パターンの特定が行われる。具体的には、プローブ情報解析機能は、プローブ情報に含まれる車両ＩＤに基づいて、ステップＳ２０３においてグループ化されたプローブ情報を車両ごとに分類し、車両ごとに分類した複数のプローブ情報に基づいて、曜日および／または時間帯ごとの車両の走行頻度、地域ごとの車両の走行頻度、急ハンドルの発生頻度、並びに急発進および急減速の発生頻度を、車両の走行パターンとして、車両ごとに特定する。
【００６１】
ステップＳ２０５では、プローブ情報解析機能により、ステップＳ２０４において特定した車両の走行パターンを、複数のクラスに分類するクラスタリング処理が実行される。たとえば、プローブ情報解析機能は、ｋ平均法などの統計処理を行うことで、図２に示すように、対象とする曜日および／または時間帯における車両の走行頻度、対象とする地域における車両の走行頻度、さらに、急ハンドルの発生頻度、並びに、急発進および急減速の発生頻度に基づいて、車両ごとに特定した車両の走行パターンを、複数のクラスにクラスタリングすることができる。
【００６２】
ステップＳ２０６では、プローブ情報解析機能により、対象プローブ情報の取得が行われる。たとえば、プローブ情報解析機能は、ステップＳ２０５でクラスタリングした複数のクラスの中から、運転習熟度が高い車両の走行パターンが属するクラスを特定する。そして、プローブ情報解析機能は、特定したクラスに属する走行パターンの車両のプローブ情報を、対象プローブ情報として取得することができる。たとえば、図２に示す例において、クラスＣ１における車両の走行パターンは、クラスＣ２における車両の走行パターンと比べて、対象とする曜日および／または時間帯における走行頻度が高く、クラスＣ３における車両の走行パターンと比べて、対象とする地域における走行頻度が高い。そのため、プローブ情報解析機能は、クラスＣ１について、運転習熟度の高い車両が属するクラスと判断し、運転習熟度が高いと判断されたクラスＣ１に属する車両のプローブ情報を、対象プローブ情報として取得することができる。
【００６３】
ステップＳ２０７では、プローブ情報解析機能により、ステップＳ２０６で取得した対象プローブ情報に基づいて、各車両の待避位置の特定が行われる。具体的には、プローブ情報解析機能は、対象プローブ情報に含まれる車両の位置情報、車速情報、ウインカーの操作情報、およびハザードランプの操作情報に基づいて、車両が徐行または停車した位置を待避位置候補として推定する。さらに、プローブ情報解析機能は、推定された待避位置候補に、交通規則により車両が徐行または停車する必要のある位置が含まれている場合には、このような待避位置候補を待避位置から除外することで、車両の待避位置を特定する。
【００６４】
ステップＳ２０８では、プローブ情報解析機能により、ステップＳ２０７で特定した複数の車両の待避位置に基づいて、車両が待避する傾向にある場所が推奨待避場所として特定される。具体的には、プローブ情報解析機能は、ステップＳ２０７で推定した複数の待避位置を地図上にプロットする。そして、プローブ情報解析機能は、所定の大きさの範囲内に所定数以上の待避位置がプロットされた場合に、この範囲を、車両が待避する傾向のある推奨待避場所として特定することができる。これにより、プローブ情報解析機能は、車両が待避する傾向にある推奨待避場所を特定することができる。
【００６５】
ステップＳ２０９では、プローブ情報解析機能により、ステップＳ２０８で特定された推奨待避場所の情報が、データベース２３０に蓄積される。
【００６６】
続いて、図８を参照して、推奨待避場所を案内する待避場所案内情報をドライバーに提供する情報提供処理について説明する。なお、図８に示す情報提供処理のうち、ステップＳ３０１〜Ｓ３０７は情報提供装置２００により実行され、ステップＳ３０８〜Ｓ３１０は車載装置１００により実行される。また、図８に示す例では、待避場所案内情報が提供される車両を対象車両として説明する。
【００６７】
ステップＳ３０１では、サーバー処理装置２２０の情報提供機能により、対象車両の車載装置１００から送信された対象車両のプローブ情報が受信される。
【００６８】
ステップＳ３０２では、サーバー処理装置２２０の情報提供機能により、対象車両に待避場所案内情報を提供するか否かが判定される。具体的には、情報提供機能は、対象車両のドライバーの運転習熟度を判定することで、対象車両に待避場所案内情報を提供するか否かを判断する。たとえば、情報提供機能は、対象車両のプローブ情報に基づいて、対象車両が走行する地域における対象車両の走行頻度、対象車両が走行する曜日および／または時間帯における対象車両の走行頻度、さらには、対象車両における急ハンドルの発生頻度や、対象車両における急発進および急減速の発生頻度を算出する。そして、情報提供機能は、対象車両が走行する地域における対象車両の走行頻度が所定値以上であるか、対象車両が走行する曜日および／または時間帯における対象車両の走行頻度が所定値以上であるか、対象車両における急ハンドルの発生頻度が所定値未満であるか、対象車両における急発進および急減速の発生頻度が所定値未満であるかなどを判断することで、対象車両が走行する地域、曜日および／または時間帯における、対象車両のドライバーの運転習熟度を推定することができる。そして、情報提供機能が、対象車両が走行する地域、曜日および／または時間帯において、対象車両のドライバーの運転習熟度が所定値以上であると判断した場合には、ステップＳ３０３に進み、一方、対象車両のドライバーの運転習熟度が所定値未満であると判断した場合には、図８に示す情報提供処理を終了する。
【００６９】
ステップＳ３０３では、サーバー処理装置２２０の情報提供機能により、データベース２３０から、対象車両が走行する曜日および／または時間帯において、対象車両の車種に応じた推奨待避場所の情報が取得される。具体的には、情報提供機能は、ステップＳ３０１で受信した対象車両のプローブ情報に基づいて、対象車両の車種と、対象車両が走行する曜日および／または時間帯とを特定する。本実施形態では、図７に示すプローブ情報解析機能により、車両が待避する傾向にある推奨待避場所の情報が、車両の車種ごと、車両が走行する曜日および／または時間帯ごとに、データベース２３０に記憶されている。そのため、情報提供機能は、対象車両が走行する曜日および／または時間帯において、対象車両の車種と同じ車種の車両が待避する傾向にある推奨待避場所の情報を、データベース２３０から取得することができる。
【００７０】
ステップＳ３０４では、サーバー処理装置２２０の情報提供機能により、対象車両に走行予定経路が設定されているか否かが判定される。たとえば、情報提供機能は、対象車両のプローブ情報に走行予定経路の情報が含まれている場合に、走行予定経路が設定されていると判定することができる。対象車両に走行予定経路が設定されていると判断した場合には、ステップＳ３０５に進み、対象車両には走行予定経路が設定されていないと判断した場合には、ステップＳ３０６に進む。
【００７１】
ステップＳ３０５では、サーバー処理装置２２０の情報提供機能により、ステップＳ３０３で取得した推奨待避場所の情報から、対象車両の走行予定経路における推奨待避場所が特定される。具体的には、情報提供機能は、ステップＳ３０１で受信した対象車両のプローブ情報に含まれる走行予定経路の情報に基づいて、対象車両の走行予定経路における推奨待避場所の情報を特定する。
【００７２】
ステップＳ３０６では、サーバー処理装置２２０の情報提供機能により、ステップＳ３０３で取得した推奨待避場所の情報から、現在の対象車両の周辺に存在する推奨待避場所が特定される。たとえば、情報提供機能は、ステップＳ３０１で受信した対象車両のプローブ情報に基づいて、対象車両の位置を特定し、ステップＳ３０３で取得した推奨待避場所のうち、対象車両の位置から所定の範囲内に含まれる推奨待避場所を、対象車両の周囲に存在する推奨待避場所として特定することができる。
【００７３】
ステップＳ３０７では、サーバー処理装置２２０の情報提供機能により、ステップＳ３０６またはステップＳ３０５で特定された推奨待避場所を案内する待避場所案内情報が、対象車両の車載装置１００に送信される。
【００７４】
ステップＳ３０８〜Ｓ３１０は、対象車両の車載装置１００により実行される。まず、ステップＳ３０８では、車載制御装置１４０の情報提示機能により、情報提供装置２００より送信された待避場所案内情報が受信される。
【００７５】
ステップＳ３０９では、車載制御装置１４０の情報提示機能により、対象車両の周辺にすれ違いや追い越しの対象となる他車両が存在するか否かの判定が行われる。たとえば、対象車両と対象車両の周辺を走行する周辺車両との間で車車間通信が可能であれば、車載制御装置１４０は、周辺車両から、周辺車両の位置、進行方向、車速などの情報を受信することで、対象車両の周辺にすれ違いや追い越しの対象となる他車両が存在するか否かを判定することができる。また、カメラ、レーダー、ソナーなどのセンサーにより、対象車両とすれ違う他車両、または対象車両を追い越す他車両を検出した場合に、対象車両の周辺にすれ違いや追い越しの対象となる他車両が存在すると判定する構成としてもよい。そして、対象車両の周辺にすれ違いや追い越しの対象となる他車両が存在する場合には、ステップＳ３１０に進み、対象車両の周辺にすれ違いや追い越しの対象となる他車両が存在しない場合には、図８に示す情報提供処理は終了する。
【００７６】
そして、ステップＳ３１０では、車載制御装置１４０の情報提示機能により、推奨待避場所を案内する待避場所案内情報がドライバーに提示される。たとえば、情報提示機能は、提示装置１５０のディスプレイに表示する地図上に、推奨待避場所を示す画像を重畳することで、待避場所案内情報を、ドライバーに提示することができる。
【００７７】
以上のように、本実施形態では、複数のプローブ情報に基づいて、複数の車両が待避した待避位置を推定し、複数の車両の複数の待避位置の情報に基づいて、車両が待避する傾向にある場所を推奨待避場所として特定し、推奨待避場所の情報を出力する。これにより、幅員の狭い道路を車両が通過する必要がある時でも、幅員の狭い道路を車両が通過することによるドライバーの不安を低減させることができる。
【００７８】
また、本実施形態では、対象車両の位置情報を含む情報を対象車両から取得し、対象車両の位置情報に基づいて、対象車両の位置を基準とする推奨待避場所の情報を出力する。これにより、対象車両の待避に適した推奨待避場所の情報を対象車両のドライバーに提示することができる。
【００７９】
さらに、本実施形態では、対象車両が走行する地域、対象車両が走行する曜日および／または時間帯における対象車両のドライバーの運転習熟度を推定し、運転習熟度が所定値以上である場合には、待避場所案内情報を対象車両の車載装置１００に提供しない。これにより、対象車両が走行する地域、対象車両が走行する曜日および／または時間帯において、対象車両のドライバーの運転習熟度が高い場合には、待避場所案内情報を提供することによる煩わしさを却って対象車両のドライバーに与えてしまうことを有効に防止することができる。
【００８０】
加えて、本実施形態では、対象車両の走行予定経路に関する情報を対象車両から取得することで、対象車両の走行予定経路にある推奨待避場所の情報を対象車両のドライバーに提供することができる。
【００８１】
また、本実施形態では、プローブ情報は車両の車種情報および時刻情報を含み、複数のプローブ情報に基づいて、車両の車種ごと、曜日および／または時間帯ごとに推奨待避場所が特定される。また、対象車両から、対象車両の車種情報および時刻情報を取得し、対象車両の車種、対象車両が走行する曜日および／または時間帯を特定する。そして、対象車両が走行する曜日および／または時間帯において、対象車両と同一の車種の車両が待避する傾向にある推奨待避場所の情報を対象車両の車載装置１００に送信する。これにより、対象車両に適した推奨待避場所の情報を、対象車両のドライバーに提供することができる。
【００８２】
さらに、本実施形態では、プローブ情報は、操舵角、車速、加減速度、アクセル開度、およびブレーキ開度に関する情報を含み、このようなプローブ情報に基づいて、地域ごとの車両の走行頻度、曜日および／または時間帯ごとの走行頻度、急ハンドルの発生頻度、または、急発進および急減速の発生頻度などの車両の走行パターンを分類する。そして、複数の車両の走行パターンを、クラスタリングして複数のクラスに分類し、運転習熟度の高い走行パターンが属する、運転習熟度の高いクラスを特定する。そして、車両の走行パターンが運転習熟度の高いクラスに属する車両のプローブ情報に基づいて、推奨待避場所を特定する。これにより、運転習熟度の高いドライバーが待避する傾向にある場所を推奨待避場所として特定することができる。
【００８３】
また、本実施形態では、車両が徐行または停車した位置、並びに／若しくは、車両がウインカーまたはハザードランプを点灯させた位置を、待避位置として推定する。これにより、車両が待避した待避位置を高い精度で推定することができる。さらに、本実施形態では、交通規則により車両が徐行または停車する必要のある場所を待避位置として推定しないことで、車両が待避する傾向にある推奨待避場所を高い精度で特定することができる。
【００８４】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００８５】
たとえば、上述した実施形態では、情報提供装置２００において、対象車両の走行予定経路または対象車両の周囲にある推奨待避場所を特定し、走行予定経路または対象車両の周囲にある推奨待避場所の情報を待避場所案内情報として、車載装置１００に送信する構成を例示したが、この構成に限定されず、たとえば、情報提供装置２００は、データベース２３０に格納されている推奨待避場所の情報を車載装置１００に送信し、車載装置１００において、対象車両の走行予定経路または対象車両の周囲にある推奨待避場所を特定し、走行予定経路または対象車両の周囲にある推奨待避場所の情報を待避場所案内情報として、ドライバーに提示する構成としてもよい。
【００８６】
また、上述した実施形態では、対象車両の車載装置１００は、対象車両のプローブ情報を情報提供装置２００に送信することで、情報提供装置２００から待避場所案内情報を取得する構成を例示したが、この構成に限定されず、たとえば、対象車両の車載装置１００は、プローブ情報とは異なる要求情報を情報提供装置２００に送信することで、情報提供装置２００から待避場所案内情報を取得する構成としてもよい。
【００８７】
さらに、上述した実施形態では、対象車両の車載装置１００において、対象車両の周辺にすれ違いや追い越しの対象となる他車両が存在するか否かを判定する構成を例示したが、この構成に限定されず、たとえば、情報提供装置２００において、対象車両の周辺にすれ違いや追い越しの対象となる他車両が存在するか否かを判定する構成とすることができる。たとえば、情報提供装置２００は、複数の車両から収集した複数のプローブ情報に含まれている車両の位置、進行方向、車速などの情報に基づいて、対象車両の周辺にすれ違いや追い越しの対象となる車両が存在するか否かを判定する。この場合、情報提供装置２００は、対象車両の周辺にすれ違いや追い越しの対象となる他車両が存在すると判定した場合に、待避場所案内情報を、対象車両の車載装置１００に提供する。
【００８８】
加えて、上述した実施形態では、複数の車両の走行パターンを複数のクラスにクラスタリングし、車両の走行パターンが、運転習熟度が高いと判断されたクラスに属する車両のプローブ情報を、対象プローブ情報として取得する構成を例示したが、この構成に限定されず、車両の走行パターンが、対象車両のドライバーと同程度の運転習熟度と判断されたクラスに属する車両のプローブ情報を、対象プローブ情報として取得する構成とすることができる。たとえば、図２に示す例において、情報提供装置２００は、対象車両のプローブ情報に基づいて対象車両の運転習熟度を特定し、対象車両の走行パターンがクラスＣ２に属する場合には、対象車両の走行パターンが属するクラスＣ２を、対象車両のドライバーと同程度の運転習熟度と判断されたクラスと判断する。そして、情報提供装置２００は、車両の走行パターンが、クラスＣ２に属する車両のプローブ情報を、対象プローブ情報として取得することができる。これにより、対象車両のドライバーの運転習熟度に合った推奨待避場所の情報を、対象車両のドライバーに提示することができる。
【００８９】
また、上述した実施形態では、地域ごとの車両の走行頻度、曜日および／または時間帯ごとの車両の走行頻度に基づいて、対象車両が走行する地域ごと、対象車両が走行する曜日および／または時間帯ごとに、対象車両のドライバーの運転習熟度を推定する構成を例示したが、この構成に限定されず、たとえば、単に、車両の走行頻度に基づいて、対象車両のドライバーの運転習熟度を推定する構成としてもよい。
【００９０】
なお、上述した実施形態に係る情報提供装置２００のサーバー処理装置２２０は、本発明の制御器に相当する。
【符号の説明】
【００９１】
１００…車載装置
１１０…センサー群
１２０…操作機器群
１３０…車載通信装置
１４０…車載制御装置
１５０…提示装置
２００…情報提供装置
２１０…サーバー通信装置
２２０…サーバー処理装置
２３０…データベース
【図１】
2018018129.tif 000003
【図２】
2018018129.tif 000004
【図３】
2018018129.tif 000005
【図４】
2018018129.tif 000006
【図５】
2018018129.tif 000007
【図６】
2018018129.tif 000008
【図７】
2018018129.tif 000009
【図８】
2018018129.tif 000010